(57)【要約】複数の記録層を有する光記録媒体であって、少なくとも入射した光を反射及び透過する半反射層（２１）が基板（２０）上に形成されてなる第ｎ（ｎ≧１）番目の記録層（２３）と、少なくとも入射した光を反射する反射層（２６）が基板（２５）上に形成されてなる第ｎ＋１番目の記録層（２８）と、第ｎ番目の記録層（２３）を介して入射された光を第ｎ＋１番目の記録層（２８）に集光する集光層（２４）とを有する。
2003094161.tif 000002
【特許請求の範囲】
【請求項１】
複数の記録層を有してなる光記録媒体を製造する光記録媒体製造装置において、
少なくとも入射した光を反射及び透過する半反射層が基板上に形成されてなる第ｎ（ｎ≧１）番目の記録層を作成する第１の作成手段と、
少なくとも入射した光を反射する反射層が基板上に形成されてなる第ｎ＋１番目の記録層を作成する第２の作成手段と、
入射した光を集光する集光層を作成する第３の作成手段と、
上記第１の作成手段により作成した上記第ｎ番目の記録層と、上記第３の作成手段で作成した上記集光層と、上記第２の作成手段により作成した上記第ｎ＋１番目の記録層をこの順番で張り合わせる第４の作成手段とを備えることを特徴とする光記録媒体製造装置。
【請求項２】
上記第１の作成手段は、基板上にメインデータに基づく記録パターンを形成した後に上記半反射層を形成し、
上記第２の作成手段は、基板上に上記メインデータに関連する付加的なデータ（以下、付加データという。）に基づく記録パターンを形成した後に上記反射層を形成することを特徴とする請求の範囲第１項記載の光記録媒体製造装置。
【請求項３】
上記第１の作成手段は、基板上に所定の熱量に応じて変化する有機色素材料を形成した後に、当該有機色素材料上に半反射層を形成し、
上記第２の作成手段は、基板上に上記所定の熱量と異なる熱量に応じて変化する有機色素材料を形成した後に、当該有機色素材料上に反射層を形成することを特徴とする請求の範囲第１項記載の光記録媒体製造装置。
【請求項４】
複数の記録層を有してなる光記録媒体を製造する光記録媒体製造装置において、
少なくとも入射した光を反射及び透過する半反射層が基板上に形成されてなる第ｎ（ｎ≧１）番目の記録層を作成する第１の作成手段と、
少なくとも入射した光を反射する反射層が基板上に形成されてなる第ｎ＋１番目の記録層を作成する第２の作成手段と、
上記第１の作成手段により作成した第ｎ番目の記録層に、当該第ｎ番目の記録層を介して入射された光を上記第ｎ＋１番目の記録層に集光する集光層を作成する第３の作成手段とを備えることを特徴とする光記録媒体製造装置。
【請求項５】
複数の記録層を有してなる光記録媒体を製造する光記録媒体製造装置において、
少なくとも入射した光を反射及び透過する半反射層が基板上に形成されてなる第ｎ（ｎ≧１）番目の記録層を作成する第１の作成手段と、
少なくとも入射した光を反射する反射層が基板上に形成されてなる第ｎ＋１番目の記録層を作成する第２の作成手段と、
上記第２の作成手段により作成した第ｎ＋１番目の記録層に、上記第ｎ番目の記録層を介して入射された光を当該第ｎ＋１番目の記録層に集光する集光層を作成する第３の作成手段とを備えることを特徴とする光記録媒体製造装置。
【請求項６】
複数の記録層を有してなる光記録媒体を製造する光記録媒体製造方法において、
少なくとも入射した光を反射及び透過する半反射層が基板上に形成されてなる第ｎ（ｎ≧１）番目の記録層を作成する第１の作成工程と、
少なくとも入射した光を反射及び透過する半反射層が基板上に形成されてなる第ｎ＋１番目の記録層を作成する第２の作成工程と、
入射した光を集光する集光層を作成する第３の作成工程と、
上記第１の作成工程により作成した上記第ｎ番目の記録層と、上記第３の作成工程で作成した上記集光層と、上記第２の作成工程により作成した上記第ｎ＋１番目の記録層をこの順番で張り合わせる第４の作成工程とを備えることを特徴とする光記録媒体製造方法。
【請求項７】
複数の記録層を有してなる光記録媒体を製造する光記録媒体製造方法において、
少なくとも入射した光を反射及び透過する半反射層が基板上に形成されてなる第ｎ（ｎ≧１）番目の記録層を作成する第１の作成工程と、
少なくとも入射した光を反射する反射層が基板上に形成されてなる第ｎ＋１番目の記録層を作成する第２の作成工程と、
上記第１の作成工程により作成した第ｎ番目の記録層に、当該第ｎ番目の記録層を介して入射された光を上記第ｎ＋１番目の記録層に集光する集光層を作成する第３の作成工程とを備えることを特徴とする光記録媒体製造方法。
【請求項８】
複数の記録層を有してなる光記録媒体を製造する光記録媒体製造方法において、
少なくとも入射した光を反射及び透過する半反射層が基板上に形成されてなる第ｎ（ｎ≧１）番目の記録層を作成する第１の作成工程と、
少なくとも入射した光を反射する反射層が基板上に形成されてなる第ｎ＋１番目の記録層を作成する第２の作成工程と、
上記第２の作成工程により作成した第ｎ＋１番目の記録層に、上記第ｎ番目の記録層を介して入射された光を当該第ｎ＋１番目の記録層に集光する集光層を作成する第３の作成工程とを備えることを特徴とする光記録媒体製造方法。
【請求項９】
複数の記録層を有する光記録媒体であって、
少なくとも入射した光を反射及び透過する半反射層が基板上に形成されてなる第ｎ（ｎ≧１）番目の記録層と、
少なくとも入射した光を反射する反射層が基板上に形成されてなる第ｎ＋１番目の記録層と、
上記第ｎ番目の記録層を介して入射された光を上記第ｎ＋１番目の記録層に集光する集光層とを有することを特徴とする光記録媒体。
【請求項１０】
上記第ｎ番目の記録層には、メインデータが記録されており、
上記第ｎ＋１番目の記録層には、上記メインデータに関する付加的なデータ（以下、付加データという。）が記録されていることを特徴とする請求の範囲第９項記載の光記録媒体。
【請求項１１】
上記第ｎ番目の記録層は、所定の熱量に応じて変化する有機色素材料が基板上に形成されており、
上記第ｎ＋１番目の記録層は、上記所定の熱量とは異なる熱量に応じて変化する有機色素材料が基板上に形成されていることを特徴とする請求の範囲第９項記載の光記録媒体。
【請求項１２】
上記第ｎ＋１番目の記録層の基板上に形成されている有機色素材料は、上記第ｎ番目の記録層の基板上に形成されている有機色素材料よりも、大きな熱量によって変化する材料よりなることを特徴とする請求の範囲第１１項記載の光記録媒体。
【請求項１３】
上記第ｎ番目の記録層及び第ｎ＋１番目の記録層は、ピット孔を有することを特徴とする請求の範囲第９項記載の光記録媒体。
【請求項１４】
複数の記録層を有する光記録媒体であって、少なくとも入射した光を反射及び透過する半反射層が基板上に形成されてなる第ｎ（ｎ≧１）番目の記録層と、少なくとも入射した光を反射する反射層が基板上に形成されてなる第ｎ＋１番目の記録層と、上記第ｎ番目の記録層を介して入射された光を上記第ｎ＋１番目の記録層に集光する集光層とを有する光記録媒体に再生光を照射する再生光照射手段と、
上記再生光照射手段により照射された再生光が上記光記録媒体に入射し、当該入射に応じて反射された光を検出する光検出手段とを備え、
上記光検出手段は、再生光照射手段により照射された再生光が上記光記録媒体に入射し、上記第ｎ番目の記録層に入射し、上記半反射層により反射された光と、上記半反射層により透過した光が上記集光層により集光され、上記第ｎ＋１番目の記録層に入射し、上記反射層により反射された光が重ね合わさった光を検出することを特徴とする再生装置。
【請求項１５】
上記第ｎ番目の記録層には、メインデータが記録されており、
上記第ｎ＋１番目の記録層には、上記メインデータに関する付加的なデータ（以下、付加データという。）が記録されており、
上記光検出手段は、上記メインデータに基づく反射光と上記付加データに基づく反射光が重ね合わさった光を検出することを特徴とする請求の範囲第１４項記載の再生装置。
【請求項１６】
上記光検出手段は、上記重ね合わさった光の光量に基づく値を所定の閾値と比較することで、上記第ｎ番目の記録層及び第ｎ＋１番目の記録層に記録されている情報を検出することを特徴とする請求の範囲第１４項記載の再生装置。
【請求項１７】
複数の記録層を有する光記録媒体であって、少なくとも入射した光を反射及び透過する半反射層が基板上に形成されてなる第ｎ（ｎ≧１）番目の記録層と、少なくとも入射した光を反射する反射層が基板上に形成されてなる第ｎ＋１番目の記録層と、上記第ｎ番目の記録層を介して入射された光を上記第ｎ＋１番目の記録層に集光する集光層とを有する光記録媒体に再生光を照射し、
上記再生光の入射により、上記第ｎ番目の記録層が有する上記半反射層により反射された光と、上記半反射層により透過した光が上記集光層により集光され、上記第ｎ＋１番目の記録層が有する上記反射層により反射された光の重ね合わさった光を検出することを特徴とする再生方法。
【請求項１８】
複数の記録層を有する光記録媒体であって、少なくとも入射した光を反射及び透過する半反射層が基板上に形成されてなる第ｎ（ｎ≧１）番目の記録層と、少なくとも入射した光を反射する反射層が基板上に形成されてなる第ｎ＋１番目の記録層と、上記第ｎ番目の記録層を介して入射された光を上記第ｎ＋１番目の記録層に集光する集光層とを有し、光記録媒体に記録光を照射する記録光照射手段と、
上記記録光照射手段により照射された記録光を上記光記録媒体に集光する対物レンズと、
上記対物レンズのフォーカス位置を制御するフォーカス制御手段とを備え、
上記フォーカス制御手段は、上記光記録媒体の第ｎ番目の記録層にデータを記録するときには、当該第ｎ番目の記録層に形成されている有機色素材料に焦点が合うように上記対物レンズのフォーカス位置を制御し、上記光記録媒体の第ｎ＋１番目の記録層にデータを記録するときには、上記集光層を介して当該第ｎ＋１番目の記録層に形成されている有機色素材料に焦点が合うように上記対物レンズのフォーカス位置を制御することを特徴とする記録装置。
【請求項１９】
メインデータに基づくエラー訂正符号を生成する第１のエラー訂正符号生成手段と、
上記第１のエラー訂正符号生成手段で生成したエラー訂正符号を上記メインデータと合成する第１の合成手段と、
上記メインデータに関する付加的なデータ（以下、付加データという。）に基づくエラー訂正符号を生成する第２のエラー訂正符号生成手段と、
上記第２のエラー訂正符号生成手段で生成したエラー訂正符号を上記付加データと合成する第２の合成手段と、
上記記録光照射手段により照射される記録光を、上記第１の合成手段で合成したデータに基づき変調する第１の変調手段と、
上記記録光照射手段により照射される記録光を、上記第２の合成手段で合成したデータに基づき変調する第２の変調手段とを備え、
上記第１の変調手段で変調された記録光が上記フォーカス制御手段によりフォーカス制御された対物レンズを介して上記第ｎ番目の記録層に照射されることによりメインデータが記録され、上記第２の変調手段で変調された記録光が上記フォーカス制御手段によりフォーカス制御された対物レンズを介して上記第ｎ＋１番目の記録層に照射されることにより付加データが記録されることを特徴とする請求の範囲第１８項記載の記録装置。
【請求項２０】
複数の記録層を有する光記録媒体であって、少なくとも入射した光を反射及び透過する半反射層が基板上に形成されてなる第ｎ（ｎ≧１）番目の記録層と、少なくとも入射した光を反射する反射層が基板上に形成されてなる第ｎ＋１番目の記録層と、上記第ｎ番目の記録層を介して入射された光を上記第ｎ＋１番目の記録層に集光する集光層とを有し、上記第ｎ番目の記録層は、所定の熱量に応じて変化する有機色素材料が基板上に形成されており、上記第ｎ＋１番目の記録層は、上記所定の熱量とは異なる熱量に応じて変化する有機色素材料が基板上に形成されている光記録媒体の上記第ｎ番目の記録層にデータを記録するときには、当該第ｎ番目の記録層に形成されている有機色素材料に焦点が合うように対物レンズのフォーカス位置を制御し、
上記光記録媒体の第ｎ＋１番目の記録層にデータを記録するときには、上記集光層を介して当該第ｎ＋１番目の記録層に形成されている有機色素材料に焦点が合うように対物レンズのフォーカス位置を制御することを特徴とする記録方法。
【発明の詳細な説明】
技術分野
本願発明は、複数の記録層を有する光記録媒体を製造する光記録製造装置及び方法、光記録媒体及び、当該光記録媒体に情報を記録する記録装置及び方法、当該光記録媒体から情報を再生する再生装置及び方法に関する。
本出願は、日本国において２００２年４月３０日に出願された日本特許出願番号２００２−１２９３０３を基礎として優先権を主張するものであり、この出願を参照することにより、本出願に援用される。
背景技術
従来の光ディスクのような記録媒体は、一つの記録層からなるものが多かったが、近年、ディスク内部において、記録層を複数積層しているものが登場してきている。なお、このように複数の記録層を有する光ディスクを再生する場合には、各記録層ごとにデータを読み出す方法が採用されている（例えば、特開２００３−５９０９１号公報参照）。
しかし、このように記録層が多層構造となっている光ディスクは、記録容量の向上を図ることが目的であり、単に各記録層にデータが記録されているに過ぎなかった。したがって、このような光ディスクを再生するときには、各記録層ごとにデータの再生を行っていた。
発明の開示
本願発明はこのような従来の実情に鑑みて提案されたものであり、複数の記録層の垂直方向にメインデータと付加データを記録することが可能な光記録媒体、及び当該光記録媒体を製造する光記録製造装置及び方法、当該光記録媒体にデータを記録する記録装置及び方法、当該光記録媒体からデータを再生する再生装置及び方法を提供することを目的とする。
本願発明に係る光記録媒体製造装置は、上述の課題を解決するために、少なくとも複数の記録層を有してなる光記録媒体を製造する光記録媒体製造装置において、少なくとも入射した光を反射及び透過する半反射層が基板上に形成されてなる第ｎ（ｎ≧１）番目の記録層を作成する第１の作成手段と、入射した光を反射する反射層が基板上に形成されてなる第ｎ＋１番目の記録層を作成する第２の作成手段と、入射した光を集光する集光層を作成する第３の作成手段と、上記第１の作成手段により作成した上記第ｎ番目の記録層と、上記第３の作成手段で作成した上記集光層と、上記第２の作成手段により作成した上記第ｎ＋１番目の記録層をこの順番で張り合わせる第４の作成手段とを備えることを特徴とする。
また、本願発明に係る光記録媒体製造装置は、上述の課題を解決するために、複数の記録層を有してなる光記録媒体を製造する光記録媒体製造装置において、少なくとも入射した光を反射及び透過する半反射層が基板上に形成されてなる第ｎ（ｎ≧１）番目の記録層を作成する第１の作成手段と、少なくとも入射した光を反射する反射層が基板上に形成されてなる第ｎ＋１番目の記録層を作成する第２の作成手段と、上記第１の作成手段により作成した第ｎ番目の記録層に、当該第ｎ番目の記録層を介して入射された光を上記第ｎ＋１番目の記録層に集光する集光層を作成する第３の作成手段とを備えることを特徴とする。
また、本願発明に係る光記録媒体製造装置は、上述の課題を解決するために、複数の記録層を有してなる光記録媒体を製造する光記録媒体製造装置において、少なくとも入射した光を反射及び透過する半反射層が基板上に形成されてなる第ｎ（ｎ≧１）番目の記録層を作成する第１の作成手段と、少なくとも入射した光を反射する反射層が基板上に形成されてなる第ｎ＋１番目の記録層を作成する第２の作成手段と、上記第２の作成手段により作成した第ｎ＋１番目の記録層に、上記第ｎ番目の記録層を介して入射された光を当該第ｎ＋１番目の記録層に集光する集光層を作成する第３の作成手段とを備えることを特徴とする。
また、本願発明に係る光記録媒体製造方法は、上述の課題を解決するために、複数の記録層を有してなる光記録媒体を製造する光記録媒体製造方法において、少なくとも入射した光を反射及び透過する半反射層が基板上に形成されてなる第ｎ（ｎ≧１）番目の記録層を作成する第１の作成工程と、少なくとも入射した光を反射及び透過する半反射層が基板上に形成されてなる第ｎ＋１番目の記録層を作成する第２の作成工程と、少なくとも入射した光を集光する集光層を作成する第３の作成工程と、上記第１の作成工程により作成した上記第ｎ番目の記録層と、上記第３の作成工程で作成した上記集光層と、上記第２の作成工程により作成した上記第ｎ＋１番目の記録層をこの順番で張り合わせる第４の作成工程とを備えることを特徴とする。
また、本願発明に係る光記録媒体製造方法は、上述の課題を解決するために、複数の記録層を有してなる光記録媒体を製造する光記録媒体製造方法において、少なくとも入射した光を反射及び透過する半反射層が基板上に形成されてなる第ｎ（ｎ≧１）番目の記録層を作成する第１の作成工程と、少なくとも入射した光を反射する反射層が基板上に形成されてなる第ｎ＋１番目の記録層を作成する第２の作成工程と、上記第１の作成工程により作成した第ｎ番目の記録層に、当該第ｎ番目の記録層を介して入射された光を上記第ｎ＋１番目の記録層に集光する集光層を作成する第３の作成工程とを備える。
また、本願発明に係る光記録媒体製造方法は、上述の課題を解決するために、複数の記録層を有してなる光記録媒体を製造する光記録媒体製造方法において、少なくとも入射した光を反射及び透過する半反射層が基板上に形成されてなる第ｎ（ｎ≧１）番目の記録層を作成する第１の作成工程と、少なくとも入射した光を反射する反射層が基板上に形成されてなる第ｎ＋１番目の記録層を作成する第２の作成工程と、上記第２の作成工程により作成した第ｎ＋１番目の記録層に、上記第ｎ番目の記録層を介して入射された光を当該第ｎ＋１番目の記録層に集光する集光層を作成する第３の作成工程とを備える。
また、本願発明に係る光記録媒体は、上述の課題を解決するために、複数の記録層を有する光記録媒体であって、少なくとも入射した光を反射及び透過する半反射層が基板上に形成されてなる第ｎ（ｎ≧１）番目の記録層と、少なくとも入射した光を反射する反射層が基板上に形成されてなる第ｎ＋１番目の記録層と、上記第ｎ番目の記録層を介して入射された光を上記第ｎ＋１番目の記録層に集光する集光層とを有することを特徴とする。
また、本願発明に係る再生装置は、上述の課題を解決するために、複数の記録層を有する光記録媒体であって、少なくとも入射した光を反射及び透過する半反射層が基板上に形成されてなる第ｎ（ｎ≧１）番目の記録層と、少なくとも入射した光を反射する反射層が基板上に形成されてなる第ｎ＋１番目の記録層と、上記第ｎ番目の記録層を介して入射された光を上記第ｎ＋１番目の記録層に集光する集光層とを有する光記録媒体に再生光を照射する再生光照射手段と、上記再生光照射手段により照射された再生光が上記光記録媒体に入射し、当該入射に応じて反射された光を検出する光検出手段とを備え、上記光検出手段は、再生光照射手段により照射された再生光が上記光記録媒体に入射し、上記第ｎ番目の記録層に入射し、上記半反射層により反射された光と、上記半反射層により透過した光が上記集光層により集光され、上記第ｎ＋１番目の記録層に入射し、上記反射層により反射された光が重ね合わさった光を検出することを特徴とする。
また、本願発明に係る再生方法は、上述の課題を解決するために、複数の記録層を有する光記録媒体であって、少なくとも入射した光を反射及び透過する半反射層が基板上に形成されてなる第ｎ（ｎ≧１）番目の記録層と、少なくとも入射した光を反射する反射層が基板上に形成されてなる第ｎ＋１番目の記録層と、上記第ｎ番目の記録層を介して入射された光を上記第ｎ＋１番目の記録層に集光する集光層とを有する光記録媒体に再生光を照射し、上記再生光の入射により、上記第ｎ番目の記録層が有する上記半反射層により反射された光と、上記半反射層により透過した光が上記集光層により集光され、上記第ｎ＋１番目の記録層が有する上記反射層により反射された光の重ね合わさった光を検出することを特徴とする。
また、本願発明に係る記録装置は、上述の課題を解決するために、複数の記録層を有する光記録媒体であって、少なくとも入射した光を反射及び透過する半反射層が基板上に形成されてなる第ｎ（ｎ≧１）番目の記録層と、少なくとも入射した光を反射する反射層が基板上に形成されてなる第ｎ＋１番目の記録層と、上記第ｎ番目の記録層を介して入射された光を上記第ｎ＋１番目の記録層に集光する集光層とを有し、上記第ｎ番目の記録層は、所定の熱量に応じて変化する有機色素材料が基板上に形成されており、上記第ｎ＋１番目の記録層は、上記所定の熱量とは異なる熱量に応じて変化する有機色素材料が基板上に形成されている光記録媒体に記録光を照射する記録光照射手段と、上記記録光照射手段により照射された記録光を上記光記録媒体に集光する対物レンズと、上記対物レンズのフォーカス位置を制御するフォーカス制御手段とを備え、上記フォーカス制御手段は、上記光記録媒体の第ｎ番目の記録層にデータを記録するときには、当該第ｎ番目の記録層に形成されている有機色素材料に焦点が合うように上記対物レンズのフォーカス位置を制御し、上記光記録媒体の第ｎ＋１番目の記録層にデータを記録するときには、上記集光層を介して当該第ｎ＋１番目の記録層に形成されている有機色素材料に焦点が合うように上記対物レンズのフォーカス位置を制御することを特徴とする。
さらに、本願発明に係る記録方法は、上述の課題を解決するために、複数の記録層を有する光記録媒体であって、少なくとも入射した光を反射及び透過する半反射層が基板上に形成されてなる第ｎ（ｎ≧１）番目の記録層と、少なくとも入射した光を反射する反射層が基板上に形成されてなる第ｎ＋１番目の記録層と、上記第ｎ番目の記録層を介して入射された光を上記第ｎ＋１番目の記録層に集光する集光層とを有し、上記第ｎ番目の記録層は、所定の熱量に応じて変化する有機色素材料が基板上に形成されており、上記第ｎ＋１番目の記録層は、上記所定の熱量とは異なる熱量に応じて変化する有機色素材料が基板上に形成されている光記録媒体の上記第ｎ番目の記録層にデータを記録するときには、当該第ｎ番目の記録層に形成されている有機色素材料に焦点が合うように対物レンズのフォーカス位置を制御し、上記光記録媒体の第ｎ＋１番目の記録層にデータを記録するときには、上記集光層を介して当該第ｎ＋１番目の記録層に形成されている有機色素材料に焦点が合うように対物レンズのフォーカス位置を制御することを特徴とする。
発明を実施するための最良の形態
本願発明は、例えば、図１に示すような光ディスク製造装置１により製造される複数記録層を有する光ディスク２に適用される。なお、光ディスク２は、図２に示すように、所定の記録パターンが形成された基板２０と、入射光を反射及び透過する半反射層２１と、当該半反射層２１を保護する保護層２２とからなる第ｎ（ｎ≧１）番目の記録層（以下、第１の記録層という。）２３と、第１の記録層２３を透過した光を集光する集光層（以下、レンズ層という。）２４と、基板２０に形成されている記録パターンと関連する所定の記録パターンが形成された基板２５と、入射光を反射する反射層２６と、当該反射層２６を保護する保護層２７とからなる第ｎ＋１番目の記録層（以下、第２の記録層という。）２８とからなる。以下に、当該光ディスク２を製造する光ディスク製造装置１の構成について述べる。
光ディスク製造装置１は、図１に示すように、入射した光を反射及び透過する半反射層２１と、当該半反射層２１を保護する保護層２２とが基板２０上に形成されてなる第１の記録層２３を作成する第１の作成部１０と、入射した光を反射する反射層２６と、当該反射層２６を保護する保護層２７とが基板２５上に形成されてなる第２の記録層２８を作成する第２の作成部１１と、入射した光を集光するレンズ層２４を作成する第３の作成部１２と、第１の作成部１０で作成した第１の記録層２３と、第３の作成部１２で作成したレンズ層２４と、第２の作成部１１で作成した第２の記録層２８をこの順番で張り合わせる第４の作成部１３とを有する。
ここで、第１の作成部１０により第１の記録層２３を作成する具体的な作成方法について以下に述べる。なお、第１の作成部１０は、メインデータに基づく記録パターンを基板２０上に形成する。
図３Ａに示す工程１では、ガラス原盤３０上に所定の膜厚でフォトレジスト膜を形成する。なお、ガラス原盤３０とフォトレジスト膜３１との密着力を高めるために、ガラス原盤３０とフォトレジスト膜３１との間に密着剤が塗布されている。そして、図３Ｂに示す工程２に進む。図３Ｂに示す工程２では、フォトレジスト膜３１が形成されたガラス原盤３０をカッティングマシンのターンテーブルに取り付け、記録するメインデータに基づいて変調されたレーザ光を照射し、フォトレジスト膜３１を露光し、露光部３２を形成する。そして、図３Ｃに示す工程３に進む。
図３Ｃに示す工程３では、現像液によりフォトレジスト膜３１を現像する。この現像により露光部３２のフォトレジスト膜３１が除去され、ガラス原盤３０上にレジストパターンが形成される。そして、図３Ｄに示す工程４に進む。図３Ｄに示す工程４では、ガラス原盤３０をスパッタ装置に設置し、レジストパターンの表面にニッケル等の導電膜３３を形成する。そして、図３Ｅに示す工程５に進む。
図３Ｅに示す工程５では、ガラス原盤３０をメッキ処理装置に設置し、ニッケル電鋳を行い、導電膜３３上に電鋳層３４を形成する。そして、図３Ｆに示す工程６に進む。図３Ｆに示す工程６では、ガラス原盤３０からレジストパターンが転写された電鋳層３４を剥離する。そして、図３Ｇに示す工程７に進む。
図３Ｇに示す工程７では、電鋳層３４に付着したフォトレジスト膜３１を除去し、電鋳層３４を所定の形状に加工する。このように、図３Ａに示す工程１〜図３Ｇに示す工程７を経て、スタンパが完成する。このスタンパを射出形成機の金型に取り付け、基板２０（例えば、ポリカーボネイト等の樹脂基板）にプレスすることにより、基板２０上にメインデータに基づく記録パターンが形成される。
第１の作成部１０は、上述のようにメインデータに基づく記録パターンが形成された基板２０に、入射光を反射及び透過する半反射層２１を形成し、当該半反射層２１に保護層２２を形成して第１の記録層２３を作成する。
また、第２の作成部１１により第２の記録層２８を作成する方法は、上述した方法と同様であるので詳細な説明は省略する。なお、第２の作成部１１では、メインデータに関する付加的なデータ（以下、付加データという。）に基づく記録パターンを形成するため、図３Ｂに示す工程２において、付加データに基づいて変調されたレーザ光を照射して露光部３２を形成する。
つぎに、第３の作成部１２によるレンズ層２４の作成方法について説明する。第３の作成部１２は、所定の集光パターンが形成されたマスク部材を基板上に配置し、所定の成膜方法（例えば、スパッタリング）により集光材料を基板上に堆積させる。このようにして作成されたレンズ層２４は、図４に示すように、基板全体に所定の集光パターンが形成されたものとなる。
そして、第４の作成部１３は、第１の作成部１０で作成された第１の記録層２３と、第３の作成部１２で作成されたレンズ層２４と、第２の作成部１１で作成された第２の記録層２８を張り合わせる処理を行う。
このように構成された光ディスク製造装置１では、第１の記録層２３を作成する第１の作成部１０と、第２の記録層２８を作成する第２の作成部１１と、レンズ層２４を作成する第３の作成部１２と、第１の記録層２３と第２の記録層２８とレンズ層２４を張り合わせる第４の作成部１３を有するので、図２に示すように、メインデータが記録され、半反射層２１が形成された第１の記録層２３と、レンズ層２４と、付加データが記録され、反射層２６が形成された第２の記録層２８とが積層されてなる光ディスク２を製造することができる。
本願発明に係る光ディスク２では、図５に示すように、当該光ディスク２に対物レンズ２９を介して入射した光（再生光）は、半反射層２１付近で焦点を結び、反射及び透過され、当該透過した光が、レンズ層２４により集光され、第２の記録層２８に形成されている反射層２６付近で再び焦点を結び反射される。したがって、このような光ディスク２の反射光は、半反射層２１付近で焦点を結んだ光の反射光と、反射層２６付近で再焦点を結んだ光の反射光とが重ね合わさったものとなり、メインデータに付加データが付加されたものとなる。従来の光ディスク２であれば、第１の記録層を透過した光を第２の記録層に集光するレンズ層を有していないため、半反射層を透過した光が再び第２の記録層上に焦点を結ぶことはない。
本願発明に係る光ディスク２では、例えば、第１の記録層２３に画像や音声等のメインデータを記録しておき、第２の記録層２８に上記メインデータを高質化するための付加データを記録しておく。このような光ディスク２に再生光を照射し、第１の記録層２３からの反射光と、第２の記録層２８からの反射光とが重ね合った反射光を検出し、当該検出に基づき再生を行うと、付加データにより高質化されたメインデータを再生することができる。
なお、本願発明に係る光ディスク製造装置１では、図２に示すような構造を有する光ディスク２を製造できれば良く、本実施例に限定されるものではない。したがって、光ディスク製造装置１は、例えば、図６に示すように、入射した光を反射及び透過する半反射層２１と、当該半反射層２１を保護する保護層２２とを、メインデータに基づく記録パターンを形成した基板２０上に形成してなる第１の記録層２３を作成する第１の作成部４０と、第１の作成部４０で作成した第１の記録層２３を透過した光を第２の記録層２８に集光するレンズ層２４を当該第１の記録層２３に形成する第２の作成部４１と、入射した光を反射する反射層２６と、当該反射層２６を保護する保護膜２７とを、付加データに基づく記録パターンを形成した基板２５上に形成してなる第２の記録層２８を形成する第３の作成部４２と、第１の記録層２３と、第２の記録層２８を張り合わせる第４の作成部４３とを備える構成であっても良い。
また、光ディスク製造装置１は、図７に示すように、入射した光を反射及び透過する半反射層２１と、当該半反射層２１を保護する保護層２２とを、メインデータに基づく記録パターンを形成した基板２０上に形成してなる第１の記録層２３を作成する第１の作成部４４と、入射した光を反射する反射層２６と、当該反射層２６を保護する保護層２７とを、付加データに基づく記録パターンを形成した基板２５上に形成してなる第２の記録層２８を作成する第２の作成部４５と、第２の作成部４５で作成した第２の記録層２８に、第１の記録層２３を介して入射された光を当該第２の記録層２８に集光するレンズ層２４を形成する第３の作成部４６と、第１の記録層２３と、第２の記録層２８を張り合わせる第４の作成部４７とを備える構成であっても良い。
つぎに、上述のようにして製造された光ディスク２からデータを再生する方法について述べる。光ディスク２からデータを読み出す光ディスク再生装置３は、図８に示すように、光ディスク２にアクセスし、データを読み出す光学部５０と、光学部５０で読み出したデータに所定の処理を行う処理部５１と、光学部５０を駆動する駆動回路部５２と、処理部５１から供給されたデータに基づき駆動回路部５２を制御するシステムコントローラ５３を備える。
光学部５０は、光ディスク２の回転駆動を行うスピンドル部５４、光ディスク２に再生光を照射し、反射された光を読み出す光ピックアップ部５５と、光ピックアップ部５５をスレッド駆動するスレッド部５６とを備える。光ピックアップ部５５は、図９に示すように、光源であるレーザダイオード５７と、レーザダイオード５７から出射された光（再生光）を光ディスク２上に集光させる対物レンズ５８と、レーザダイオード５７から出射された再生光と光ディスク２で反射した戻り光（反射光）を分離するビームスプリッタ５９と、光ディスク２からの反射光を受光して信号を検出する光検出器６０とを備える。これらはいずれも従来の光ピックアップ部５５と同じものを用いることができるが、本願発明に係る光ディスク再生装置３では、詳細は後述する光検出器６０で検出した反射光の信号解釈が従来とは異なることになる。また、光ピックアップ部５５は、再生光を対物レンズ５８を介して光ディスク２の記録面に照射する光学系と、反射光を光検出器６０に導く光学系が設けられている。また、対物レンズ５８は、二軸機構によってトラッキング方向（光ディスク２の面内方向）及びフォーカス方向（光ディスク２に対して垂直方向）に移動可能に保持されている。さらに、光ピックアップ部５５は、全体がスレッド部５６により光ディスク２の半径方向に移動可能となっている。
処理部５１は、光ピックアップ部５５から供給されてきた反射光に基づき、再生用ＲＦ信号、フォーカスエラー信号（以下、ＦＥ信号という。）及びトラッキングエラー信号（以下、ＴＥ信号という。）等を生成し、再生用ＲＦ信号を生成するＲＦアンプ部６１と、ＲＦアンプ部６１から供給された再生用ＲＦ信号に所定のエラー検出及び訂正を行うエラー検出・訂正回路部６２とを備える。
システムコントローラ５３は、エラー検出・訂正回路部６２から供給された信号に基づいて駆動回路部５２を制御する。
駆動回路部５２は、ＲＦアンプ部６１から供給されたＦＥ信号に基づきフォーカス駆動信号を生成し、当該フォーカス駆動信号を光ピックアップ部５５に供給するフォーカス制御回路部６３と、ＲＦアンプ部６１から供給されたＴＥ信号に基づきトラッキング駆動信号を生成し、当該トラッキング駆動信号を光ピックアップ部５５に供給するトラッキング制御回路部６４と、ＲＦアンプ部６１から供給されたＴＥ信号に基づきスレッド駆動信号を生成し、当該スレッド駆動信号をスレッド部５６に供給するスレッド制御回路部６５と、システムコントローラ５３から供給されるスピンドルエラー信号及びスピンドルキック／ブレーキ信号に基づいてスピンドル駆動信号を生成し、当該スピンドル駆動信号をスピンドル部５４に供給するスピンドル制御回路部６６とを備える。
ここで、本願発明に係る光ディスク再生装置３により光ディスク２からデータを再生する際の動作について図１０に示すフローチャートにしたがって説明する。光ディスク再生装置３に備えられている光学部５０は、光ディスク２に再生光を照射し、その反射光を検出する（ステップＳ１）。光学部５０は、検出した反射光に基づき多値信号を生成し、処理部５１に出力する（ステップＳ２）。処理部５１は、入力された多値信号をエラー検出及び訂正処理を行い（ステップＳ３）、処理後のデータをスピーカ等に出力する（ステップＳ４）。
つぎに、光ディスク再生装置３により再生光を照射し光ディスク２に記録されているデータを再生する場合と、従来の再生装置により再生光を照射し従来の光ディスク（本願発明に係る光ディスク２からレンズ層２４を除いたもの）に記録されているデータを再生する場合について述べる。
再生装置は、例えば、従来の光ディスクに形成されている第２の記録層からデータを読み出す場合には、対物レンズが光ディスク表面から所定の高さになるようにフォーカス制御を行い、当該対物レンズを介して光ディスクに再生光を照射する。再生光は、対物レンズで絞られて、図１１Ａに示すように、第２の記録層上で焦点が結ばれる。したがって、再生装置は、対物レンズに所定のフォーカス制御を行うことにより、光ディスクに形成されている記録層の中から所定の記録層に焦点を合わせ、その反射光を検出することによりデータの再生を行っている。
一方、このような再生装置により本願発明に係る光ディスク２に形成されている第２の記録層からデータを読み出す場合において、単に、対物レンズのフォーカス制御を行い、当該対物レンズを介して光ディスク２に再生光を照射しても、図１１Ｂに示すように、第１の記録層２３と第２の記録層２８の間に形成されているレンズ層２４により変調され、第２の記録層上に焦点を結ぶことができない。したがって、本願発明に係る光ディスク２では、レンズ層２４が形成されているために、従来の再生装置では第２の記録層２８の情報に容易にアクセスできないようにすることができる。例えば、第２の記録層２８に暗号化したデータを格納しておき、第１の記録層２３に記録されているデータを読み出すには当該暗号化したデータを必要とする、という仕組みにしておけば、従来の再生装置では、本願発明に係る光ディスク２に記録されているデータの再生を行うことができないようにすることができる。
ここで、本願発明に係る光ディスク再生装置３に備えられている光検出器６０の動作（信号の解釈）と、従来の再生装置に備えられている光検出器の動作について以下に述べる。まず、従来の光ディスクに再生光を照射し、その反射光が従来の光検出器６０に入射されたときの信号解釈について図１２を用いて説明する。従来の光検出器は、光ディスクに形成されている第１の記録層により反射された光を検出し、図１２（Ａ）に示すように、あるしきい値に基づき０か１かの信号と判断し、２値情報として解釈している。また、従来の光検出器は、所定のフォース制御が行われた対物レンズに向かって再生光が照射され、光ディスクに形成されている第２の記録層により反射された光を検出し、図１２（Ｂ）に示すように、あるしきい値に基づき０か１かの信号と判断し、２値情報として解釈している。このように、従来の再生装置では、第１の記録層に記録されたデータと第２の記録層に記録されたデータを別々に読み出している。したがって、第１の記録層に記録されているデータと第２の記録層に記録されているデータは、面内方向には関連性のあるデータであっても垂直方向には関連性のない別個のデータである。
これに対し、光検出器６０は、本願発明に係る光ディスク２からデータを読み出す際に、図１３（Ｃ）に示すように、検出した反射光を４段階で解釈を行う。つまり、光ディスク２から戻ってくる反射光は、半反射層２１から反射してきた光（図１３（Ａ）に相当）と、反射層２６から反射してきた光（図１３（Ｂ）に相当）が重ね合わされたものとなっている。本願発明に係る光ディスク再生装置３に備えられている光検出器６０は、このような反射光の強度の違いを区別することができ、反射光を０から３の４値の信号により解釈することができる。
なお、第２の記録層２８に入射する光は、第１の記録層２３の半反射層２１を透過した光であり、第１の記録層２３に入射する光よりも光強度が低いので、反射層２６から戻ってくる反射光は、半反射層２１から戻ってくる反射光よりも光強度が低い光となる。
すなわち、図１３（Ｃ）において、半反射層２１から反射されてきた光は、０と２の間の光強度に相当し、反射層２６から反射してきた光は、０と１の間（若しくは２と３との間）の光強度に相当する。
本願発明に係る光ディスク再生装置３は、従来の光検出器による０又は１という２段階での信号解釈に対して、検出した反射光の光強度の違いに応じて０から３の４値で信号解釈を行うことができる光検出器６０を備えるので、従来の２段階の信号よりも多段階のデータを識別することができる。
つぎに、第１の記録層２３に記録されているメインデータと第２の記録層２８に記録されている付加データとを同時に読み出すことで、メインデータを高質化する方法について説明する。ここでは、従来の８ｂｉｔの階調画像に対して、１６ｂｉｔの高階調の画像を得る場合を例に挙げて説明する。
第１の記録層２３には、８ｂｉｔの画像信号を記録しておく。また、第２の記録層２８には、第１の記録層２３に記録された８ｂｉｔの画像信号にさらに高階調をもたらす上位８ｂｉｔの画像信号を記録しておく。この第２の記録層２８に記録されている信号は、第１の記録層２３の信号と関連があり、第１の記録層２３の信号をさらに詳細記述する信号である。第１の記録層２３に記録されている画像信号に第２の記録層２８に記録されている画像信号を重ね合わせた場合には、第１の記録層２３に記録されている画像信号のみを再生した場合よりも高階調で滑らかな画像として再生することができるようになる。
従来の光検出器は、上述したように、光ディスク２に再生光が照射され、その反射光を検出した場合には第１の記録層２３に記録されている８ｂｉｔの画像信号のみ得ることになる（従来の光検出器では、第１の記録層２３の画像信号は読み出せるが、レンズ層２４の影響で第２の記録層の画像信号を読み出すことができない）。したがって、再生装置は、高階調をもたらす上位８ｂｉｔの画像信号を読み出せないため、通常画像の８ｂｉｔの画像信号に基づく画像を再生することになる。
これに対して、光ディスク再生装置３に備えられている光検出器６０では、光ディスク２に再生光が照射され、戻ってきた反射光を検出した場合には、４値解釈により、下位８ｂｉｔの情報のみでなく、上位８ｂｉｔの情報も読み出すことができ、１６ｂｉｔの高階調画像を得ることができる。なお、光ディスク２から戻ってくる反射光は、図１３（Ｃ）に示すように、半反射層２１により反射された光と、反射層２６により反射された光とが重ね合わさった光である。
このように構成された光ディスク再生装置３は、基板２０にメインデータが形成されており、かつ入射光を反射及び透過する半反射履２１が形成されている第１の記録層２３と、第１の記録層２３を透過した光を第２の記録層２８に集光するレンズ層２４と、基板に付加データが形成されており、かつ入射光を反射する第２の記録層２８が張り合わせてなる光ディスク２に、再生光を照射し、その反射光を光強度に応じて多段階に検出することが可能な光ピックアップ部５５を備えるので、第１の記録層２３に入射した再生光が半反射層２１で反射した光と、当該半反射層２１を透過し、当該透過した光がレンズ層２４を介して第２の記録層２８に集光し、反射層２６で反射した光とが重ね合わさった光をその強度に基づき多段階で解釈するので、第１の記録層２３に記録されているメインデータに第２の記録層２８に記録されている付加データを付加して再生することができる。
また、本願発明は、例えば、図１４に示すような光ディスク製造装置４により製造される複数記録層を有する光ディスク５に適用される。なお、光ディスク５は、図１５に示すように、案内溝パターンが形成された基板８０と、所定の熱量に応じて変化する有機色素層８１と、入射光を反射及び透過する半反射層８２と、当該半反射層８２を保護する保護層８３とからなる第ｎ（ｎ≧１）番目の記録層（以下、第１の記録層という。）８４と、第１の記録層８４を透過した光を集光する集光層（以下、レンズ層という。）８５と、案内溝パターンが形成された基板８６と、有機色素層８１と異なる熱量に応じて変化する有機色素層８７と、入射光を反射する反射層８８と、当該反射層８８を保護する保護層８９とからなる第ｎ＋１番目の記録層（以下、第２の記録層という。）９０とからなる。以下に、当該光ディスク５を製造する光ディスク製造装置４の構成について述べる。
光ディスク製造装置４は、図１４に示すように、入射した光を反射及び透過する半反射層８２と、当該半反射層８２を保護する保護層８４とが基板８０上に形成されてなる第１の記録層８４を作成する第１の作成部７０と、入射した光を反射する反射層８８と、当該反射層８８を保護する保護層８９とが基板８６上に形成されてなる第２の記録層９０を作成する第２の作成部７１と、入射した光を集光するレンズ層８５を作成する第３の作成部７２と、第１の作成部７０で作成した第１の記録層８４と、第３の作成部７２で作成したレンズ層８５と、第２の作成部７１で作成した第２の記録層９０をこの順番で張り合わせる第４の作成部７３とを有する。
ここで、第１の作成部７０により第１の記録層８４を作成する具体的な作成方法について以下に述べる。
図１６Ａに示す工程１では、ガラス原盤１００上に所定の膜厚でフォトレジスト膜１０１を形成する。なお、ガラス原盤１００とフォトレジスト膜１０１との密着力を高めるために、ガラス原盤１００とフォトレジスト膜１０１との間に密着剤が塗布されている。そして、図１６Ｂに示す工程２に進む。図１６Ｂに示す工程２では、フォトレジスト膜１０１が形成されたガラス原盤１００をカッティングマシンのターンテーブルに取り付け、形成する案内溝に基づいて変調されたレーザ光を照射し、フォトレジスト膜１０１を露光し、露光部１０２を形成する。そして、図１６Ｃに示す工程３に進む。
図１６Ｃに示す工程３では、現像液によりフォトレジスト膜１０１を現像する。この現像により露光部１０２のフォトレジスト膜１０１が除去され、ガラス原盤１００上にレジストパターンが形成される。そして、図１６Ｄに示す工程４に進む。図１６Ｄに示す工程４では、ガラス原盤１００をスパッタ装置に設置し、レジストパターンの表面にニッケル等の導電膜１０３を形成する。そして、図１６Ｅに示す工程５に進む。
図１６Ｅに示す工程５では、ガラス原盤１００をメッキ処理装置に設置し、ニッケル電鋳を行い、導電膜１０３上に電鋳層１０４を形成する。そして、図１６Ｆに示す工程６に進む。図１６Ｆに示す工程６では、ガラス原盤１００からレジストパターンが転写された電鋳層１０４を剥離する。そして、図１６Ｇに示す工程７に進む。
図１６Ｇに示す工程７では、電鋳層１０４に付着したフォトレジスト膜１０１を除去し、電鋳層１０４を所定の形状に加工する。このように、図１６Ａに示す工程１〜図１６Ｇに示す工程７を経てスタンパが完成する。このスタンパを射出形成機の金型に取り付け、基板８０（例えば、ポリカーボネイト等の樹脂基板）にプレスすることにより、基板８０上に所定の案内溝パターンが形成される。
第１の作成部７０は、上述のように案内溝パターンが形成された基板８０に、所定の熱量に応じて変化する有機色素層８１を形成し、当該有機色素層上８１に入射光を反射及び透過する半反射層８２を形成し、当該半反射層８２に保護層８３を形成して第１の記録層８４を作成する。
また、第２の作成部７１により第２の記録層９０を作成する方法は、上述した方法と同様であるので詳細な説明は省略する。なお、第２の作成部７１では、案内溝パターンが形成された基板８６に、第１の記録層８４とは異なる熱量に応じて変化する有機色素層８７を形成して第２の記録層９０を作成する。
また、第３の作成部７２は、所定の集光パターンが形成されたマスク部材を基板上に堆積させてレンズ層８５を作成する。
そして、第４の作成部７３は、第１の作成部７０で作成された第１の記録層８４と、第３の作成部７２で作成されたレンズ層８５と、第２の作成部７１で作成された第２の記録層９０を張り合わせる処理を行う。なお、第１の記録層８４に形成されている有機色素層８１が変化する温度Ｔ１よりも第２の記録層９０に形成されている有機色素層８７が変化する温度Ｔ２の方が高温（Ｔ１＜Ｔ２）であることとする。なお、有機色素層８１及び有機色素層８７が変化した場所に光が入射すると、光の散乱あるいは吸収によりその透過率が変化する。
このように構成された光ディスク製造装置４では、第１の記録層８４を作成する第１の作成部７０と、第２の記録層９０を作成する第２の作成部７１と、レンズ層８５を作成する第３の作成部７２と、第１の記録層８４と第２の記録層９０とレンズ層８５を張り合わせる第４の作成部７３を有するので、図１５に示すように、所定の案内溝が形成され、有機色素層８１及び半反射層８２が形成された第１の記録層８４と、レンズ層８５と、所定の案内溝が形成され、有機色素層８７及び反射層８８が形成された第２の記録層９０とが積層されてなる光ディスク５を製造することができる。
なお、本願発明に係る光ディスク製造装置４では、図１５に示すような構造を有する光ディスク５を製造できれば良く、本実施例に限定されるものではない。したがって、光ディスク製造装置４は、例えば、図１７に示すように、所定の熱量に応じて変化する有機色素層８１と、入射した光を反射及び透過する半反射層８２と、当該半反射層８２を保護する保護層８３とを、案内溝パターンを形成した基板８０上に形成してなる第１の記録層８４を作成する第１の作成部１１０と、第１の作成部１１０で作成した第１の記録層８４を透過した光を第２の記録層９０に集光するレンズ層８５を当該第１の記録層８４に形成する第２の作成部１１１と、有機色素層８１とは異なる熱量に応じて変化する有機色素層８７と、入射した光を反射する反射層８８と、当該反射層８８を保護する保護膜８９とを、案内溝パターンを形成した基板８６上に形成してなる第２の記録層９０を形成する第３の作成部１１２と、第１の記録層８４と、第２の記録層９０を張り合わせる第４の作成部１１３とを備える構成であっても良い。
また、光ディスク製造装置４は、図１８に示すように、所定の熱量に応じて変化する有機色素層８１と、入射した光を反射及び透過する半反射層８２と、当該半反射層８２を保護する保護層８３とを、案内溝パターンを形成した基板８０上に形成してなる第１の記録層８４を作成する第１の作成部１１４と、有機色素層８１とは異なる熱量に応じて変化する有機色素層８７と、入射した光を反射する反射層８８と、当該反射層８８を保護する保護層８９とを、案内溝パターンを形成した基板８６上に形成してなる第２の記録層９０を作成する第２の作成部１１５と、第２の作成部１１５で作成した第２の記録層９０に、第１の記録層８４を介して入射された光を当該第２の記録層９０に集光するレンズ層８５を形成する第３の作成部１１６と、第１の記録層８４と、第２の記録層９０を張り合わせる第４の作成部１１７とを備える構成であっても良い。
本発明に係る光ディスク５は、所定の記録光を照射することにより、第１の記録層８４と第２の記録層９０に所定のデータを記録することができる追記録型の光ディスクである。
ここで、上述のように製造される光ディスク５にデータを記録する方法について以下に説明する。光ディスク５にデータを記録する光ディスク記録装置６は、図１９に示すように、データが入力され所定の処理を行う処理部１２０と、処理部１２０により処理されたデータを光ディスク５に書き込む光学部１２１と、光学部１２１を駆動する駆動回路部１２２と、処理部１２０から供給されたデータに基づき駆動回路部１２２を制御するシステムコントローラ１２３を備える。
処理部１２０は、メインデータに所定の処理を行う第１の処理部１２４と、付加データ（メインデータに関する付加的なデータ）が入力されたことを検出する検出部１２５と、付加データに所定の処理を行う第２の処理部１２６と、第１の処理部１２４と第２の処理部１２６が接続されており、検出部１２５の検出結果に応じて第１の処理部１２４から出力されるメインデータと第２の処理部１２６から出力される付加データとを切り換える切換部１２７とを備える。第１の処理部１２４は、メインデータにエラー訂正に関するエンコード処理を行い、所定のデータを生成するエラー訂正・符号化回路部１２８と、メインデータに、エラー訂正・符号化回路部１２８で生成されたデータを合成し、記録用のデータを生成するデータ合成回路部１２９とを有する。また、第２の処理部１２６は、付加データにエラー訂正に関するエンコード処理を行い、所定のデータを生成するエラー訂正・符号化回路部１３０と、付加データに、エラー訂正・符号化回路部１３０で生成されたデータを合成し、記録用のデータを生成するデータ合成回路部１３１とを有する。
切換部１２７は、検出部１２５からの検出結果に応じて端子ａと端子ｂとの接点の切り換えを行う。切換部１２７は、例えば、検出部１２５から付加データが供給されていない旨の情報を得た場合には、端子ａに接点を切り換える。また、切換部１２７は、例えば、検出部１２５から付加データが供給されている旨の情報を得た場合には、端子ａと端子ｂとを所定のタイミングで交互に接点を切り換える。また、切換部１２７は、接点されている端子の情報をシステムコントローラ１２３に供給する。
光学部１２１は、光ディスク５の回転駆動を行うスピンドル部１３２と、光ディスク５に記録光を照射する光ピックアップ部１３３と、光ピックアップ部１３３をスレッド駆動するスレッド部１３４とを備える。光ピックアップ部１３３は、図２０に示すように、光源であるレーザダイオード１３５と、レーザダイオード１３５から出射された光（記録光）を処理部１２０から供給されるデータに基づき変調を行う光変調回路部１３６と、光変調回路部１３６を介して供給される記録光を光ディスク５に集光する対物レンズ１３７と、レーザダイオード１３５から出射された再生光と光ディスク５で反射した戻り光（反射光）を分離するビームスプリッタ１３８と、光ディスク５からの反射光を受光して信号を検出する光検出器１３９とを備える。なお、光ピックアップ部１３３は、再生光を対物レンズ１３７を介して光ディスク５の記録面に照射する光学系と、反射光を光検出器１３９に導く光学系が設けられている。また、対物レンズ１３７は、二軸機構によってトラッキング方向（光ディスク５の面内方向）及びフォーカス方向（光ディスク５に対して垂直方向）に移動可能に保持されている。さらに、光ピックアップ部１３３は、全体がスレッド部１３４により光ディスク５の半径方向に移動可能となっている。
駆動回路部１２２は、フォーカスエラー信号（以下、ＦＥ信号という。）に基づきフォーカス駆動信号を生成し、当該フォーカス駆動信号を光ピックアップ部１３３に供給するフォーカス制御回路部１４０と、トラッキングエラー信号（以下、ＴＥ信号という。）に基づきトラッキング駆動信号を生成し、当該トラッキング駆動信号を光ピックアップ部１３３に供給するトラッキング制御回路部１４１と、スレッド部１３４の動作を制御するスレッド駆動信号を生成するスレッド制御回路部１４２と、システムコントローラ１２３から供給されるスピンドルエラー信号及びスピンドルキック／ブレーキ信号に基づいてスピンドル駆動信号を生成するスピンドル制御回路部１４３とを備える。なお、ＦＥ信号は、例えば、非点収差法等により生成されるフォーカス駆動用の信号であり、ＴＥ信号は、例えば、基板に形成されている案内溝パターンに沿って３ビーム法又はプッシュプル法等により生成されるトラッキング駆動用の信号である。
システムコントローラ１２３は、光学部１２１及び処理部１２０から供給される信号に基づき駆動回路部１２２を制御する。
ここで、本願発明に係る光ディスク記録装置６により光ディスク５にデータを記録する際の動作について図２１に示すフローチャートにしたがって説明する。メインデータと付加データが処理部１２０に入力される（ステップＳ１０）。検出部１２５は、切換部１２７に付加データが入力された旨の検出信号を供給する（ステップＳ１１）。切換部１２７は、所定のタイミングでメインデータが供給される側の端子ａと付加データが供給される側の端子ｂとの接点を切り換える（ステップＳ１２）。また、切換部１２７は、選択されている端子の情報をシステムコントローラ１２３に供給する。
システムコントローラ１２３は、切換部１２７から供給された情報に基づき、フォーカス制御回路部１４０に所定の信号を供給する（ステップＳ１３）。システムコントローラ１２３は、切換部１２７でメインデータが選択（端子ａ側）されている場合には、第１のシステム信号をフォーカス制御回路部１４０に供給する。フォーカス制御回路部１４０は、図２２（Ａ）に示すように、システムコントローラ１２３から供給された第１のシステム信号に基づき対物レンズ１３７のフォーカス位置を制御する。第１の記録層８４に形成されている有機色素層８１は、図２２（Ａ）の位置にフォーカス制御されている対物レンズ１３７を介して記録光が照射され、焦点が結ばれ、所定の温度まで昇温されたときに変化、すなわち記録マークが形成される。なお、図２２（Ａ）の場合には、第１の記録層８４を透過した光がレンズ層８５を介して、第２の記録層９０でも焦点を結んでいるが、上述したように、第２の記録層９０に形成されている有機色素層８７は、有機色素層８１よりも変化する温度が高いもの材料なので、記録光の照射時間を制御することにより有機色素層８１のみを変化させることが可能である。
また、システムコントローラ１２３は、切換部１２７で付加データが選択（端子ｂ側）されている場合には、第２のシステム信号をフォーカス制御回路部１４０に供給する。フォーカス制御回路部１４０は、図２２（Ｂ）に示すように、システムコントローラ１２３から供給された第２のシステム信号に基づき対物レンズ１３７のフォーカス位置を制御する。第２の記録層９０に形成されている有機色素層８７は、図２２（Ｂ）の位置にフォーカス制御されている対物レンズ１３７を介して記録光が照射され、所定の温度まで昇温されたときに変化、すなわち記録マークが形成される。
例えば、光ディスク５の第１の記録層８４に画像や音声等のメインデータを記録し、第２の記録層９０に上記メインデータを高質化するための付加データを記録する。
このように構成された光ディスク記録装置６は、所定の熱量に応じて変化する有機色素層８１が形成されており、かつ入射光を反射及び透過する半反射層８２が形成されている第１の記録層８４と、第１の記録層８４を透過した光を第２の記録層９０に集光するレンズ層８５と、第１の記録層８４に形成されている有機色素層８１とは異なる熱量に応じて変化する有機色素層８７が形成されており、かつ入射光を反射する反射層８８が形成されている第２の記録層９０とが張り合わせてなる追記録型の光ディスク５にデータを記録する際に、データを記録する記録層に応じて対物レンズ１３７に所定のフォーカス制御を行い、当該対物レンズ１３７を介して記録光を照射するので、所望する記録層の有機色素層にのみ変化を生じさせることができ、当該変化により所望のデータを記録することができる。
また、上述した光ディスク記録装置６によりデータが記録された光ディスク５からデータを読み出す基本的な構成及び方法は、上述した光ディスク再生装置３と同様であるので詳細な説明は省略する。
また、光ディスク製造装置は、光ディスク製造装置１により製造された光ディスク２と光ディスク製造装置４により製造された光ディスク５のハイブリッド型の光ディスクを製造する装置であっても良い。このような光ディスク製造装置により製造された光ディスク７は、図２３に示すように、基板１５０にメインデータに基づく記録パターンが形成され、半反射層１５１と保護層１５２が形成された第１の記録層１５３と、第１の記録層１５３を透過した光を第２の記録層１５９に集光するレンズ層１５４と、基板１５５に所定の案内溝が形成され、所定の熱量に応じて変化する有機色素層１５６と、入射光を反射する反射層１５７と、反射層１５７を保護する保護層１５８が形成された第２の記録層１５９とが張り合わされてなる。このような光ディスク７にデータを記録する場合には、所定のフォーカス制御を行った対物レンズ１７０を介して記録光を照射し、有機色素層１５６に変化を生じさせ、当該変化により所望のデータを記録する。
このような光ディスク７は、例えば、以下のようにして利用することができる。光ディスク７の第１の記録層１５３に予めＳＤレベルの映像（メインデータ）を記録しユーザに廉価で配布する。その後、ユーザの要求に応じて、追加料金を得て、メインデータをＨＤレベルにする付加データを第２の記録層に記録する。
また、本発明に係る光ディスク製造装置により製造された光ディスク８は、図２４に示すように、基板１６０に所定の案内溝が形成され、所定の熱量に応じて変化する有機色素層１６１と、入射光を反射及び透過する半反射層１６２と、半反射層１６２を保護する保護層１６３とが形成されてなる第１の記録層１６４と、第１の記録層１６４を透過した光を第２の記録層１６９に集光するレンズ層１６５と、基板１６６にメインデータに基づく記録パターンが形成され、反射層１６７と保護層１６８が形成されてなる第２の記録層１６９とが張り合わされてなるものでも良い。このような光ディスク８にデータを記録する場合には、所定のフォーカス制御を行った対物レンズ１７０を介して記録光を照射し、有機色素履１６１に変化を生じさせ、当該変化により所望のデータを記録する。
なお、本発明は、図面を参照して説明した上述の実施例に限定されるものではなく、添付の請求の範囲及びその主旨を逸脱することなく、様々な変更、置換又はその同等のものを行うことができることは当業者にとって明らかである。
産業上の利用可能性
本願発明に係る光記録媒体製造装置は、入射した光を反射及び透過する半反射層が基板上に形成されてなる第１の記録層を作成する第１の作成部と、入射した光を反射する反射層が基板上に形成されてなる第２の記録層を作成する第２の作成部と、第１の記録層を透過した光を第２の記録層に集光する集光層を作成する第３の作成部と、第１の記録層と、集光層と、第２の記録層とを張り合わせる第４の作成部とを備えるので、メインデータが記録され、半反射層が形成された第１の記録層と、集光層と、付加データが記録され、反射層が形成された第２の記録層とが積層されてなる光記録媒体及び、所定の案内溝が形成され、記録材料及び半反射層が形成された第１の記録層と、集光層と、所定の案内溝が形成され、記録材料及び反射層が形成された第２の記録層とが積層されてなる光記録媒体を製造することができる。
また、以上詳細に説明したように、本願発明に係る光記録媒体製造方法は、入射した光を反射及び透過する半反射層が基板上に形成されてなる第１の記録層を作成する第１の作成工程と、入射した光を反射する反射層が基板上に形成されてなる第２の記録層を作成する第２の作成工程と、第１の記録層を透過した光を第２の記録層に集光する集光層を作成する第３の作成工程と、第１の記録層と、集光層と、第２の記録層とを張り合わせる第４の作成工程とを備えるので、メインデータが記録され、半反射層が形成された第１の記録層と、集光層と、付加データが記録され、反射層が形成された第２の記録層とが積層されてなる光記録媒体及び、所定の案内溝が形成され、記録材料及び半反射層が形成された第１の記録層と、集光層と、所定の案内溝が形成され、記録材料及び反射層が形成された第２の記録層とが積層されてなる光記録媒体を製造することができる。
また、以上詳細に説明したように、本願発明に係る光記録媒体は、入射した光を反射及び透過する半反射層が基板上に形成されてなる第１の記録層と、入射した光を反射する反射層が基板上に形成されてなる第２の記録層と、第１の記録層を透過した光を第２の記録層に集光させる集光層とを有するので、第１の記録層に予めメインデータを記録し、第２の記録層に予め付加データが記録されてなる場合には、付加データが付加されたメインデータを読み出せるものとして利用することができ、また、所定の熱量に応じて変化する有機色素材料が第１の記録層に形成され、第１の記録層とは異なる熱量に応じて変化する有機色素材判が第２の記録層に形成されてなる場合には、メインデータとともに付加データを書き込めるものとして利用することができる。
また、以上詳細に説明したように、本願発明に係る再生装置は、入射した光を反射及び透過する半反射層が基板上に形成されてなる第１の記録層と、入射した光を反射する反射層が基板上に形成されてなる第２の記録層と、第１の記録層を透過した光を第２の記録層に集光させる集光層とを有する光記録媒体に再生光を照射する照射部と、光記録媒体からの反射光を光強度に応じて多段階に検出する検出部を備えるので、第１の記録層に入射した再生光が半反射層で反射した光と、当該半反射層を透過し、当該透過した光がレンズ層を介して第２の記録層に集光し、反射層で反射した光とが重ね合わさった光を強度に基づき多段階で検出することができ、第１の記録層に記録されているメインデータに第２の記録層に記録されている付加データを付加して再生することができる。
また、以上詳細に説明したように、本願発明に係る再生方法は、入射した光を反射及び透過する半反射層が基板上に形成されてなる第１の記録層と、入射した光を反射する反射層が基板上に形成されてなる第２の記録層と、第１の記録層を透過した光を第２の記録層に集光させる集光層とを有する光記録媒体に再生光を照射し、当該照射に応じて光記録媒体からの戻ってくる反射光を光強度に応じて多段階に検出するので、第１の記録層に入射した再生光が半反射層で反射した光と、当該半反射層を透過し、当該透過した光がレンズ層を介して第２の記録層に集光し、反射層で反射した光とが重ね合わさった光を強度に基づき多段階で検出することができ、第１の記録層に記録されているメインデータに第２の記録層に記録されている付加データを付加して再生することができる。
また、以上詳細に説明したように、本願発明に係る記録装置は、入射した光を反射及び透過する半反射層が基板上に形成されてなる第１の記録層と、入射した光を反射する反射層が基板上に形成されてなる第２の記録層と、第１の記録層を透過した光を第２の記録層に集光させる集光層とを有し、第１の記録層は、所定の熱量に応じて変化する有機色素材料が基板上に形成されており、第２の記録層は、上記所定の熱量とは異なる熱量に応じて変化する有機色素材料が基板上に形成されている光記録媒体に記録光を照射する照射部と、記録光を光記録媒体に集光する対物レンズと、当該対物レンズのフォーカス位置を制御するフォーカス制御部とを備え、データを記録する記録層に応じて記録光を光記録媒体に集光する対物レンズのフォーカス位置を制御するので、所望する記録層の有機色素材料のみ変化を生じさせることができるので、第１の記録層にメインデータを記録し第２の記録層に付加データを記録することができる。
また、以上詳細に説明したように、本願発明に係る記録方法は、入射した光を反射及び透過する半反射層が基板上に形成されてなる第１の記録層と、入射した光を反射する反射層が基板上に形成されてなる第２の記録層と、第１の記録層を透過した光を第２の記録層に集光させる集光層とを有し、第１の記録層は、所定の熱量に応じて変化する有機色素材料が基板上に形成されており、第２の記録層は、上記所定の熱量とは異なる熱量に応じて変化する有機色素材料が基板上に形成されている光記録媒体にデータを記録する際に、データを記録する記録層に応じて記録光を光記録媒体に集光する対物レンズのフォーカス位置を制御するので、所望する記録層の有機色素材料のみ変化を生じさせることができるので、第１の記録層にメインデータを記録し第２の記録層に付加データを記録することができる。
【図面の簡単な説明】
図１は、本発明を適用した光ディスク製造装置の第１の構成例を示すブロック図である。
図２は、本発明に係る光ディスクの構造の一例を示す断面図である。
図３Ａ乃至図３Ｇは、図１に示した光ディスク製造装置により光ディスクを製造する工程を示した図である。
図４は、本発明に係る光ディスクを形成している集光層の上面図である。
図５は、本発明に係る光ディスクに再生光が照射されたときの焦点を結ぶ様子を模式的に示す断面図である。
図６は、本発明を適用した光ディスク製造装置の第２の構成例を示すブロック図である。
図７は、本発明を適用した光ディスク製造装置の第３の構成例を示すブロック図である。
図８は、本発明を適用した光ディスク再生装置の構成を示すブロック図である。
図９は、図８に示す光ディスク再生装置が備える光ピックアップ部の構成を示すブロック図である。
図１０は、図８に示す光ディスク再生装置により光ディスクからデータを再生するときの動作を示すフローチャートである。
図１１Ａ及び図１１Ｂは、従来の再生装置により従来の光ディスクを再生する様子を模式的に示す断面図と、従来の再生装置により本発明に係る光ディスクを再生する様子を模式的に示す断面図である。
図１２は、従来の再生装置に備えられている光検出器による信号解釈の概念を模式的に示す図である。
図１３は、本発明を適用した光ディスク再生装置に備えられている光検出器による信号解釈の概念を模式的に示す図である。
図１４は、本発明を適用した光ディスク製造装置の第４の構成例を示すブロック図である。
図１５は、本発明に係る光ディスクの構造の一例を示す断面図である。
図１６Ａ乃至図１６Ｇは、図１４に示した光ディスク製造装置により光ディスクを製造する工程を示した図である。
図１７は、本発明を適用した光ディスク製造装置の第５の構成例を示すブロック図である。
図１８は、本発明を適用した光ディスク製造装置の第６の構成例を示すブロック図である。
図１９は、本発明を適用した光ディスク記録装置の構成を示すブロック図である。
図２０は、図１９に示す光ディスク記録装置が備える光ピックアップ部の構成を示すブロック図である。
図２１は、図１９に示す光ディスク記録装置により光ディスクにデータを記録するときの動作を示すフローチャートである。
図２２は、図１９に示す光ディスク記録装置により光ディスクの第１の記録層にデータを記録する様子を模式的に示す断面図（Ａ）と、第２の記録層にデータを記録する様子を模式的に示す断面図（Ｂ）である。
図２３は、本発明に係る光ディスクの構造の一例を示す断面図である。
図２４は、本発明に係る光ディスクの構造の一例を示す断面図である。
【図１】
2003094161.tif 000003
【図２】
2003094161.tif 000004
2003094161.tif 000005
【図４】
2003094161.tif 000006
【図５】
2003094161.tif 000007
【図６】
2003094161.tif 000008
【図７】
2003094161.tif 000009
【図８】
2003094161.tif 000010
【図９】
2003094161.tif 000011
【図１０】
2003094161.tif 000012
2003094161.tif 000013
【図１２】
2003094161.tif 000014
【図１３】
2003094161.tif 000015
【図１４】
2003094161.tif 000016
【図１５】
2003094161.tif 000017
2003094161.tif 000018
【図１７】
2003094161.tif 000019
【図１８】
2003094161.tif 000020
【図１９】
2003094161.tif 000021
【図２０】
2003094161.tif 000022
【図２１】
2003094161.tif 000023
【図２２】
2003094161.tif 000024
【図２３】
2003094161.tif 000025
【図２４】
2003094161.tif 000026
【国際調査報告】
2003094161.tif 000027
2003094161.tif 000028
2003094161.tif 000029
2003094161.tif 000030